(57)【特許請求の範囲】
【請求項１】
一次局と少なくとも１つの二次局との間で通信する方法であって、
（ａ）前記一次局において、チャネル品質を表すチャネル品質情報を送信することを前記二次局に要求するステップ、及び
（ｂ）前記二次局において、ステップ（ａ）の要求に応じて、前記チャネル品質情報を前記一次局に送信するステップ、
を有し、ステップ（ｂ）が、前記二次局が前記チャネル品質情報と共に二次局バッファステータスの表示をさらに送信するサブステップ（ｂ１）を有する方法。
【請求項２】
サブステップ（ｂ１）は、前記チャネル品質情報及び前記二次局バッファステータスの前記表示の同時送信が、より高いレイヤのシグナリングによって可能にされる場合に実行される、請求項１に記載の方法。
【請求項３】
サブステップ（ｂ１）が、以下の条件の少なくとも１つが満たされる場合に実行される、
請求項１又は請求項２に記載の方法。
− サブフレーム番号が特定の値のセットのうちの１つに等しい
− 再送信シーケンス番号が値のセットのうちの１つに等しい
【請求項４】
ステップ（ｂ）において、チャネル品質情報の種類は、前記一次局が当該チャネル品質情報を要求する目的に応じてチャネル品質情報の複数の種類から選択される、請求項１から請求項３のいずれか一項に記載の方法。
【請求項５】
チャネル品質情報の前記種類は、少なくとも広帯域品質情報と、１つ以上のサブバンド品質情報とを含む、請求項４に記載の方法。
【請求項６】
前記広帯域品質情報は、サブバンド品質情報よりも分解能が低い、請求項５に記載の方法。
【請求項７】
前記二次局は、前記二次局がサブステップ（ｂ１）に従って前記チャネル品質情報と共に二次局バッファステータスの表示を送信するかに応じて、サブバンド品質情報を送信するか広帯域品質情報を送信するかを選択する、請求項５又は請求項６に記載の方法。
【請求項８】
前記一次局において、バッファステータスを送信することを前記二次局に要求する、ステップ（ｃ）をさらに有する、請求項１から請求項７のいずれか一項に記載の方法。
【請求項９】
前記二次局にバッファステータスを送信させる前記要求は、制御シグナリングメッセージにおける表示を含み、当該表示の存在は、より高いレイヤのシグナリングによって前記二次局に示される、請求項８に記載の方法。
【請求項１０】
前記二次局は前記バッファステータスの表示を周期的に送信するように設定され、ステップ（ｃ）の要求を受信すると、前記二次局は前記バッファステータスの表示の送信の周期を変更する、請求項８又は請求項９に記載の方法。
【請求項１１】
ステップ（ｃ）の要求を受信すると、前記二次局は、次に予定されるサブフレームにおいて、バッファステータスレポートを送信する、請求項８から請求項１０のいずれか一項に記載の方法。
【請求項１２】
チャネル品質を表すチャネル品質情報を送信するための要求を一次局から受信するための受信手段、及び、前記チャネル品質情報を前記要求に応じて前記一次局に送信するための送信手段を有し、前記送信手段は、前記チャネル品質情報と共に二次局バッファステータスの表示をさらに送信する、二次局。
【発明の詳細な説明】
【技術分野】
【０００１】
本発明は、ネットワークを通してデータを通信するための方法に関する。より具体的には、本発明は、移動通信ネットワーク(例えば、UMTSネットワーク) において通信するための方法に関する。
【背景技術】
【０００２】
多くの通信システムは、それぞれのノードにそれらが互いに通信することができるように送信リソースを割り当てる責任がある集中型スケジューラを用いて動作する。
【０００３】
典型的な例は、UMTS LTE(Long Term Evolution)のアップリンクであり、そこでは、使用者機器(UE)とも呼ばれる異なる二次局からのアップリンク送信は、evolved Node B(eNB)とも呼ばれるセルの一次局によって、時間及び周波数においてスケジューリングされる。一次局は、二次局に「スケジューリング付与」メッセージを送信して、一般的に付与メッセージの送信の約3ms後である、二次局のアップリンク送信のための特定の時間-周波数リソースを示す。付与メッセージは、さらに一般的に、二次局の送信のために用いられる他の送信パラメータ(例えば、データ速度又はパワー)を特定する。
【０００４】
一次局は、適切な付与を発行するために、各々の二次局のバッファ中で送信を待っているデータの量及び種類に関する十分な情報を持つことを必要とする。二次局のバッファのステータスは、一般的に、バッファステータスレポート(BSR)手順により、二次局によって一次局に示される。
【０００５】
加えて、一次局は、二次局にメッセージを送信して、ダウンリンク送信のために用いられているリソースを示す。各々の二次局に専用のパワー、データ速度及びプリコーディングのような送信パラメータの効率的な選択のために、一次局は、受信機におけるSINR又は受け取ることのできるデータ速度の表示、並びに、チャネルの伝達関数及び空間特性に関する情報を一般的に有するチャネル状態情報を必要とする。議論を目的として、この情報は、「CQI」すなわちチャネル品質情報として考慮されることができる。CQIは、ダウンリンクデータ送信のための送信パラメータを選択するためのみならず、アップリンクパケットに応答してダウンリンク上で送信されるACK/NACK信号のための送信パラメータを選択するために有益である場合がある。
【発明の概要】
【発明が解決しようとする課題】
【０００６】
上記のBSR手順に関する問題は、二次局が、送信するために付与されたリソースを持つ場合にのみ、BSRを送信することを許可されることである。この問題に対する１つの解決策は、二次局が低オーバーヘッド信号(SR)を送信することであり、その後、BSRのためのリソースの付与が続く。しかし、この手順は多少の時間を要する場合がある。
【０００７】
同様に、二次局は、リソースを与えられている場合にのみ、CQIレポートを送信することができる。現在LTEにおいて、これらは、定期的に又は単発的に利用されることができる。一次局は、物理ダウンリンク制御チャネル(Physical Downlink Control Channel:PDCCH)によって運ばれる制御チャネルメッセージ中にビットを設定することによって、CQIレポートを要求することができる。同じメッセージがアップリンクリソースも付与する。
【０００８】
その結果として、特にBSR又はCQIのためのアップリンクリソースを付与することは、オーバーヘッドをもたらす。(例えばPDCCHのような制御チャネル上の)シグナリングメッセージを用いてリソースが付与される場合、シグナリングメッセージごとのダウンリンク送信に使用されるリソースに起因するオーバーヘッドが存在する。
【課題を解決するための手段】
【０００９】
より効率的にデータを通信するための方法を提案することが本発明の目的である。
【００１０】
本発明の他の目的は、必要なときに関連する情報を一次局に送信するための方法を提案することである。
【００１１】
本発明の別の目的は、あまりに多くのオーバーヘッドを生じることなく、必要な情報を一次局に提供するための方法を提案することである。
【００１２】
この目的のために、本発明の第１の態様によれば、一次局と少なくとも１つの二次局との間で通信するための方法が提案され、当該方法は、
(a)一次局において、チャネル品質を表わすチャネル品質情報を送信することを二次局に要求するステップ、及び
(b)二次局において、ステップ(a)の要求に応じて、チャネル品質情報を一次局に送信するステップ、
を有し、ステップ(b)は、二次局が前記チャネル品質情報と共に二次局バッファステータスの表示をさらに送信するサブステップ(b1)を有する。
【００１３】
本発明の第２の態様によれば、二次局が提案され、当該二次局は、チャネル品質を表わすチャネル品質情報を送信するための要求を一次局から受信するための受信手段、
及び、チャネル品質情報を、前記要求に応じて、一次局に送信するための送信手段、
を有し、送信手段は、前記チャネル品質情報と共に二次局バッファステータスの表示をさらに送信するように配置される。
【００１４】
本発明のこれらの及び他の態様は、以下に記載される実施の形態から明らかとなり、それらを参照して説明される。
【００１５】
本発明は、以下において、添付の図面を参照して、より詳細に一例として記載される。
【図面の簡単な説明】
【００１６】
【図１】本発明の第１の態様が実施される通信システムのブロック図。
【発明を実施するための形態】
【００１７】
本発明は、図1に示されるように、基地局のような一次局100及び少なくとも１つの移動局のような二次局を含む通信システム300に関連する。
【００１８】
無線システム300は、複数の一次局100及び/又は複数の二次局200を含むことができる。一次局100は、送信手段110及び受信手段120を有する。送信手段110の出力及び受信手段120の入力は、例えばサーキュレータ又は切換えスイッチであることができる結合手段140によってアンテナ130に結合される。例えばプロセッサであることができる制御手段150は、送信手段110及び受信手段120に結合される。二次局200は、送信手段210及び受信手段220を有する。送信手段210の出力及び受信手段220の入力は、例えばサーキュレータ又は切換えスイッチであることができる結合手段240によってアンテナ230に結合される。例えばプロセッサであることができる制御手段250は、送信手段210及び受信手段220に結合される。一次無線局100から二次局200への送信は第１チャネル160上で行われ、そして二次無線局200から一次局100への送信は第２チャネル260上で行われる。
【００１９】
本発明の本実施例は、いくつかのアプリケーションがアップリンク送信及びダウンリンク送信の両方のために断続的なリソースを必要とし、そしてバッファステータスレポート(BSR)(又は同等のもの)及びチャネル品質情報(CQI)の両方の効率的な送信が必要とされるとの認識に由来する。本発明のこの実施例によれば、BSR及びCQIのアップリンク送信を引き起こすための共通の手段が提供される。さらに、BSR及びCQIが、同じメッセージ中で又は少なくとも同じチャネル上で、同時に送信されることができることが提案される。
【００２０】
本発明のこの第１の実施の形態は、以下を可能にする。
・両方のレポートのために１つのトリガーメカニズムのみが必要とされる。共通のトリガーがダウンリンク制御チャネルメッセージによって伝達される場合、これはダウンリンクオーバーヘッドを節約する。
・アップリンク送信リソースの単一のセットが、両方のレポートを伝達することができる。これは、２つの個別のレポートを送信するよりも効率的である可能性が高い。トリガーがダウンリンク制御チャネルメッセージによって伝達される場合、このメッセージは、両方のレポートのアップリンク送信のためのリソースを付与することができる。
【００２１】
本発明の第１の実施の形態によれば、LTEを用いたシステムが提供され、一次局は、時々ダウンリンクでデータパケットを送信して、PDCCHメッセージのような制御メッセージによって、関連する二次局にそれらの存在を示す。加えて、二次局は、(リソースを要求して、PDCCHを介してリソースを与えられた後に)アップリンクで時々データパケットを送信する。効率的なダウンリンク送信を達成するために、一次局は、アップリンクリソースを付与するために用いられるPDCCHメッセージ中に対応する「CQI要求ビット」をセットすることによって、必要なときに、アップリンクCQI送信を要求する。本発明によれば、同じ「CQI要求ビット」がさらに、BSRの様な二次局のバッファのステータスについてのレポートをも要求する。結果として生じるアップリンク送信は、CQI及びBSRだけでなく、ユーザデータを運ぶことができる。
【００２２】
好ましい実施の形態のバリエーションにおいて、「CQI要求ビット」は、CQIレポート単独の要求か又はCQIとBSRの両方の要求かを示すために、より高いレイヤのシグナリングによって設定される。この場合には、一次局がCQIの要求を送信するとき、そしてより高いレイヤのシグナリングが、二次局がBSRを伴ってそのCQIを送信しなければならないことを示す場合、二次局は、一次局へのメッセージにCQI及びBSRを組み込むことによって応答する。
【００２３】
このソリューションは、オーバーヘッド又はあまりに多くのシグナリングを引き起こさない。
【００２４】
第１の実施の形態の更なるバリエーションにおいて、CQIレポート単独の要求か又はCQIとBSRの両方の要求かのどちらを示すかについての「CQI要求ビット」の解釈は、満たされている条件(例えば、サブフレーム番号が特定の値のセットのうちの１つと同じであること、又は、再送信シーケンス番号が値の特定のセットのうちの１つと同じであること)によって決まる。これを実行することによって、CQIはBSRを時々伴い、一次局は、二次局が何か送信すべきものを持つかどうかについて定期的に通知される。
【００２５】
本発明の第２の実施の形態において、CQI要求とは別にBSRの要求を示すために、追加の「BSR要求ビット」が制御チャネル中に提供される。このビットはPDCCHメッセージ中に常に存在することができるか、又は、その存在が、より高いレイヤのシグナリングによって示されることができる。
【００２６】
先の実施の形態の変形例において、CQIは、いくつかの種類であることができる。送信されるCQIレポートの選択される種類は、CQIレポートがスケジューリングされたものであるか又はBSRと関連した追加のものであるかどうかによって決まることができる。例えば、BSRを伴うCQIが、例えば二次局によって送信されるデータパケットに応答してダウンリンク上で送信されるACK/NACKのための適切な送信パラメータの選択を主として目的とする場合、分解能が制限された広帯域CQIレポートが適切だろう。対照的に、ダウンリンクデータ送信を目的とするCQIは、より高い分解能を有するマルチバンドチャネル品質情報を、より有用に提供することができる。したがって、CQIレポートの種類は、「BSR要求ビット」がどの値に設定されるかによって決まる場合がある。
【００２７】
いくつかの実施の形態において、BSRは、周期的に送信されるように設定されることができる。この場合には、「BSR要求」は、次の周期的なBSRをキャンセルする効果を持つことができ、UEは、付与されたアップリンクリソースおいてBSRを送信する。
【００２８】
先の実施の形態の他の変形例において、「BSR要求」は、設定された周期的なBSRの周期を変更する効果を持つことができる。周期の値は、２つの設定された値の間で切り換えられることができるか、又は、１つ以上のビットを用いて値が選択されることができる。
【００２９】
他の一実施例において、「BSR要求」は、BSRの設定されたサイズを変更する効果を持つことができる。周期の値は、２つの設定された値の間で切り換えられることができるか、又は、１つ以上ビットを用いて値が選択されることができる。
【００３０】
本発明のこれらの実施の形態は、例えば、集中型スケジューリングを用いる通信システム(例えばUMTS及びLTE)に適用される。
【００３１】
さらにこれは、そのようなシステムに用いられる移動端末に適用される。
【００３２】
図面、開示及び添付の請求の範囲を研究することにより、請求された発明を実施する際に、開示された実施の形態に対する他のバリエーションが当業者によって理解されて遂行されることができる。
【００３３】
請求の範囲において、「有する」「含む」等の用語は他の要素又はステップを除外せず、単数表現は複数を除外しない。単一のユニットが請求項中に挙げられた幾つかのアイテムの機能を実現することができる。ある手段が相互に異なる従属請求項中に述べられているからといって、利益を得るためにこれらの手段の組み合わせを用いることができないことを意味しない。
【００３４】
コンピュータプログラムは、他のハードウェアと共に又はその一部として供給される光学記憶媒体又は固体素子媒体のような適切な媒体上で記録/配布されることができるが、インターネット又は他の有線若しくは無線遠距離通信システムを介してのような他の形式で配信されることもできる。
【００３５】
請求項中の参照符号は、範囲を制限するものとして解釈されてはならない。
【図面の簡単な説明】
【００１６】
【図１】本発明の第１の態様が実施される通信システムのブロック図。
【図１】
0005575751.tif 000002